(57)【要約】      （修正有）【課題】着脱が容易で、不快感少なく、外観上も大きな問題なく、着座から歩行まで広範な運動サポートを行なえる運動補助装置を提供する。【解決手段】パワー・アシスト・スーツ１００は、ユーザーの体への固定を足部と腰部のみとし、両脚の内側に配置され、直動駆動部１２０Ｒ，１２０Ｌを内包したロッド１１０Ｒ、１１０Ｌを介してユーザーの足部と腰部の間を接続するように構成されるので、体の幅方向サイズの影響を受けない。ロッド１１０Ｒ、１１０Ｌは、上方への一方向性の力のみをユーザーの骨盤に伝達するように構成された簡潔なハーネスで、ユーザーの腰部と接続される。また、ロッド１１０Ｒ、１１０Ｌは、靴中央部に対して回転可能に接続される。【選択図】図１
2014104185.tif 000002
【特許請求の範囲】
【請求項１】
ユーザーの腰部と足部を接続し、直動アクチュエーターを含む脚ロッドと、
前記脚ロッドの一端を前記腰部に接続する腰部接続部と、
前記脚ロッドの他端を前記足部に接続する足部接続部と、
を具備する運動補助装置。
【請求項２】
前記直動アクチュエーターは、前記脚ロッドを長手方向に伸縮させるように動作する、
請求項１に記載の運動補助装置。
【請求項３】
前記腰部接続部及び前記足部接続部は、前記脚ロッドを左右両脚の内側に配置するように前記一端及び前記他端でそれぞれ接続する、
請求項１に記載の運動補助装置。
【請求項４】
前記ユーザーが胴体に装着し、前記腰部接続部を有する装具をさらに備える、
請求項１に記載の運動補助装置。
【請求項５】
前記装具は、前記ユーザーの腹前部付近で前記腰部接続部を介して前記脚ロッドの前記一端を接続する、
請求項４に記載の運動補助装置。
【請求項６】
前記装具は、前記直動アクチュエーターが発生する上方への一方向性の力を前記ユーザーの骨盤に伝達する、
請求項４に記載の運動補助装置。
【請求項７】
前記装具は、前記ユーザーの脚の大腿部付け根を環状に包囲する大腿部ハーネスと、前記ユーザーの腰部を環状に包囲し前記脚ロッドの前記一端を接続する腰部ハーネスと、前記腰部ハーネスと前記大腿部ハーネスとの間を連結するほぼ直線状の連結ハーネスを有する、
請求項４に記載の運動補助装置。
【請求項８】
前記直動アクチュエーターが伸展して前記腰部ハーネスが上方に引き上げられたときに、前記連結ハーネスを介して前記大腿部ハーネスが引き上げられることにより、上方に向かう力を前記ユーザーの骨盤に伝達する、
請求項７に記載の運動補助装置。
【請求項９】
回転３自由度を有する前記足部接続部を、その回転中心が、前後方向に関して前記ユーザーの足部拇指丘付近、幅方向に関して足底の中心付近に位置するように接続する足底部をさらに備える、
請求項１に記載の運動補助装置。
【請求項１０】
前記腰部接続部は、前記ユーザーの骨盤の幅方向の中央付近で前記脚ロッドの前記一端を接続する、
請求項１に記載の運動補助装置。
【請求項１１】
前記ユーザーの左右の脚毎に前記脚ロッドを備え、
前記左右の前記脚ロッドの前記腰部接続部を一点に集約して配置する、
請求項１０に記載の運動補助装置。
【請求項１２】
前記脚ロッドは、前記ユーザーの体前部に向かって凸となる湾曲部を有する、
請求項１に記載の運動補助装置。
【請求項１３】
前記ユーザーの左右の脚毎に前記脚ロッドを備え、
前記腰部接続部は、前記左右の前記脚ロッドの股関節ロール軸回りの可動域を制限する、
請求項１に記載の運動補助装置。
【請求項１４】
前記直動アクチュエーターに加わる外力を検出する力センサーと、
前記力センサーの出力値に基づいて前記直動アクチュエーターを力制御する制御部と、
をさらに備える請求項１に記載の運動補助装置。
【請求項１５】
前記足部の足底の接地状態を検出する接地センサーと、
前記接地センサーの出力値に基づいて前記直動アクチュエーターの動作を制御する制御部と、
をさらに備える請求項１に記載の運動補助装置。
【請求項１６】
立脚側の前記脚ロッドにおいて前記ユーザーの膝の屈曲量θKPJに応じて体重を支持するような押し付け力ｆstanceを与え、遊脚側の前記脚ロッドにおいて前記ユーザーの股関節の屈曲量θHPJに応じて引き上げ力ｆswingを与えるように、前記直動アクチュエーターを力制御する制御部をさらに備える、
請求項１に記載の運動補助装置。
【請求項１７】
前記直動アクチュエーターの位置を検出するエンコーダーをさらに備え、
前記制御部は、前記ユーザーの膝の屈曲量θKPJ並びに膝の屈曲量θKPJを前記直動アクチュエーターの位置で近似する、
請求項１６に記載の運動補助装置。
【請求項１８】
前記制御部は、立脚側の前記脚ロッドにおける押し付け力ｆstance、並びに、遊脚側の前記脚ロッドにおける引き上げ力ｆswingに、自重補償の力を考慮して前記直動アクチュエーターを力制御する、
請求項１６に記載の運動補助装置。
【請求項１９】
前記制御部は、立脚側の前記脚ロッドにおいて、遊脚側の前記脚ロッドにおける引き上げ力ｆswingが作用しないようにさらに考慮して、前記直動アクチュエーターを力制御する、
請求項１６に記載の運動補助装置。
【請求項２０】
請求項１に記載の運動補助装置を装着したユーザーの運動を補助する運動補助方法であって、
前記足部の接地状態を判定する判定ステップと、
遊脚側の前記脚ロッドにおいて前記ユーザーの股関節の屈曲量θHPJに応じて引き上げ力ｆswingを与えるように、前記直動アクチュエーターを力制御する第１の制御ステップと、
立脚側の前記脚ロッドにおいて前記ユーザーの膝の屈曲量θKPJに応じて体重を支持するような押し付け力ｆstanceを与えるように、前記直動アクチュエーターを力制御する第２の制御ステップと、
を有する運動制御方法。
【発明の詳細な説明】
【技術分野】
【０００１】
本明細書で開示する技術は、高齢者など主に介助や介護を必要とする人体に装着して用いられ、歩行動作を始め人体の運動を物理的並びに心理的に補助する運動補助装置及び運動補助方法に関する。
【背景技術】
【０００２】
わが国の高齢化率（６５歳以上高齢者人口が総人口に占める割合）は、２０１０年に２３．１％であり、２０２５年には３０％に至ると予測されている。このように高齢者の人口構成に占める比重が急速に高まっていくと、高齢者ができる限り要介護状態とならず健康で活き活きと暮らせること、また、要介護状態となっても、できる限り悪化を防ぎ、自立した生活を送ることができる社会を実現することが急務となっている。
【０００３】
高齢化社会の到来に伴い、高齢者介護施設や高齢者を抱える家庭では、高齢者の心身の補助を行なうことを目的としたメカトロ機器への要求が高まっている。中でも、自律歩行補助器、パワー・アシスト・スーツといった物理的な補助を行なう機械への要求は強い。
【０００４】
介助・介護用メカトロ機器開発で重要な点の１つは、高齢者の活動をいたずらに阻害せず、できるだけ維持・促進させることである。高齢者の体力が低下したからといって、高齢者の活動を機械が過度に代行してしまうと、高齢者の体力はますます減退し、状況は悪化する（廃用症候群）。パワー・アシスト・スーツは、人の筋肉が発生する力に加えて、人工的な力をその補助として加える装置である。したがって、高齢者の体力が低下した分を補完しながら、高齢者自身の活動を維持させられる点で、望ましい機器といえる。
【０００５】
高齢者などに対する力のアシストは、技術的には可能になりつつある。しかしながら、現時点ではパワー・アシスト・スーツの普及率は決して高くない。その理由として、以下のようなことが考えられる。
【０００６】
（１）装置の着脱が容易でない。また、長時間の運用において、不快感がある。
（２）高価であり、費用対効果がよくない。
（３）装着時の外観が不自然、不格好にで、外観上も大きな問題である。
（４）着座から歩行まで、ユーザーの広範な運動サポートを行なうことができない。
（５）機器の重さがユーザーに作用し、ぎこちないサポートしか行なわれない。また、サポート力により横転倒モーメントが発生し易い。
（６）ユーザーの身体サイズへの依存性が高い。
（７）稼働時間が短い。
【０００７】
例えば、筋電センサーからの出力と運動のフェーズ推定の結果に基づいて関節に駆動力を与える、力制御型のパワー・アシスト・スーツが最近になって注目されている（例えば、非特許文献１を参照のこと）。しかしながら、このパワー・アシスト・スーツによれば、筋電センサーを片脚に９箇所も取り付けなければならず、装着の手間がかかる。また、筋電センサーは経時変化や汗のため、皮膚から剥がれることもある。筋電センサーと皮膚の密着性が崩れると、筋電センサーの出力値が不安定となり、パワー・アシスト・スーツが暴走したり、装着した人体に不適切な力が印加したりするおそれがある。これらの不備は、パワー・アシスト・スーツの普及の妨げになる。
【０００８】
これに対し、筋電センサーを用いない人体補助装置も提案されている（例えば、非特許文献２を参照のこと）。この人体補助装置は、ユーザーの関節の動きをセンシングし、それをサポートするような力を関節に印加するように構成されている。しかしながら、この人体補助装置は、体の外側に装着する構造であるため、ユーザーの体の幅方向のサイズへの依存性が残り、装置が大型化する問題を有している。
【０００９】
また、ユーザーの両脚の内側に装着する、搭乗方式の歩行補助装置も提案されている（例えば、特許文献１を参照のこと）。しかしながら、この歩行補助装置は、膝部が大きく体躯から張り出すので、外観上の問題を有している。また、股間の下にアーチ状の構造体を有しているので、ユーザーは、この歩行補助装置を装着したままでは、着座を行なうことができない。すなわち、この歩行補助装置は、着座から歩行まで広範な運動サポートを行なうことはできない。
【００１０】
また、歩行の相に応じた股関節サポートを行なう歩行アシスト・システムについて提案がなされている（例えば、特許文献２を参照のこと）。この歩行アシスト・システムは、ユーザーが把持する倒立振子型移動体と、ユーザーの脚の運動を補助する歩行補助装置からなる。そして、倒立振子型移動体と歩行補助装置間で目標移動速度が所定の速度関係となるようにし、倒立振子型移動体は、ユーザーが把持した際の基体の動き及び目標移動速度に基づいて移動を制御するとともに、歩行補助装置は、ユーザーの脚体の動き及び目標移動速度に基づいて、力をユーザーに伝達させる。しかしながら、この歩行アシスト・システムは、遊脚の軽度のアシストを意図して設計されたものであり、階段の昇降時に必要な体重の持ち上げ、遊脚の引き上げといった、実用的な力サポートを行なうことはできない。
【発明の概要】
【発明が解決しようとする課題】
【００１１】
本明細書で開示する技術の目的は、高齢者など主に介助や介護を必要とする人体に装着して用いられ、歩行動作を始め人体の運動を物理面並びに心理面から好適に補助することができる、優れた運動補助装置及び運動補助方法を提供することにある。
【００１２】
本明細書で開示する技術のさらなる目的は、単にユーザーの運動をアシストできるにとどまらず、着脱が容易で、長時間の運用においても不快感が少なく、安価に高い効果が得られ、外観上も問題とならず、着座から歩行まで広範な運動サポートを行なえ、機器の重さがユーザーに作用せず、サポート力により横転倒モーメントが発生し難い、優れた運動補助装置及び運動補助方法を提供することにある。
【課題を解決するための手段】
【００１３】
本願は、上記課題を参酌してなされたものであり、請求項１に記載の技術は、
ユーザーの腰部と足部を接続し、直動アクチュエーターを含む脚ロッドと、
前記脚ロッドの一端を前記腰部に接続する腰部接続部と、
前記脚ロッドの他端を前記足部に接続する足部接続部と、
を具備する運動補助装置である。
【００１４】
本願の請求項２に記載の技術によれば、請求項１に記載の運動補助装置の前記直動アクチュエーターは、前記脚ロッドを長手方向に伸縮させるように動作するように構成されている。
【００１５】
本願の請求項３に記載の技術によれば、請求項１に記載の運動補助装置の前記腰部接続部及び前記足部接続部は、前記脚ロッドを左右両脚の内側に配置するように前記一端及び前記他端でそれぞれ接続するように構成されている。
【００１６】
本願の請求項４に記載の技術によれば、請求項１に記載の運動補助装置は、前記ユーザーが胴体に装着し、前記腰部接続部を有する装具をさらに備えている。
【００１７】
本願の請求項５に記載の技術によれば、請求項４に記載の運動補助装置の前記装具は、前記ユーザーの腹前部付近で前記腰部接続部を介して前記脚ロッドの前記一端を接続するように構成されている。
【００１８】
本願の請求項６に記載の技術によれば、請求項４に記載の運動補助装置の前記装具は、前記直動アクチュエーターが発生する上方への一方向性の力を前記ユーザーの骨盤に伝達するように構成されている。
【００１９】
本願の請求項７に記載の技術によれば、請求項４に記載の運動補助装置の前記装具は、前記ユーザーの脚の大腿部付け根を環状に包囲する大腿部ハーネスと、前記ユーザーの腰部を環状に包囲し前記脚ロッドの前記一端を接続する腰部ハーネスと、前記腰部ハーネスと前記大腿部ハーネスとの間を連結するほぼ直線状の連結ハーネスを有している。
【００２０】
本願の請求項８に記載の技術によれば、請求項７に記載の運動補助装置は、前記直動アクチュエーターが伸展して前記腰部ハーネスが上方に引き上げられたときに、前記連結ハーネスを介して前記大腿部ハーネスが引き上げられることにより、上方に向かう力を前記ユーザーの骨盤に伝達するように構成されている。
【００２１】
本願の請求項９に記載の技術によれば、請求項１に記載の運動補助装置は、回転３自由度を有する前記足部接続部を、その回転中心が、前後方向に関して前記ユーザーの足部拇指丘付近、幅方向に関して足底の中心付近に位置するように接続する足底部をさらに備えている。
【００２２】
本願の請求項１０に記載の技術によれば、請求項１に記載の運動補助装置の前記腰部接続部は、前記ユーザーの骨盤の幅方向の中央付近で前記脚ロッドの前記一端を接続するように構成されている。
【００２３】
本願の請求項１１に記載の技術によれば、請求項１０に記載の運動補助装置は、前記ユーザーの左右の脚毎に前記脚ロッドを備えている。そして、前記左右の前記脚ロッドの前記腰部接続部を一点に集約して配置するように構成されている。
【００２４】
本願の請求項１２に記載の技術によれば、請求項１に記載の運動補助装置の前記脚ロッドは、前記ユーザーの体前部に向かって凸となる湾曲部を有している。
【００２５】
本願の請求項１３に記載の技術によれば、請求項１に記載の運動補助装置は、前記ユーザーの左右の脚毎に前記脚ロッドを備えている。そして、前記腰部接続部は、前記左右の前記脚ロッドの股関節ロール軸回りの可動域を制限するように構成されている。
【００２６】
本願の請求項１４に記載の技術によれば、請求項１に記載の運動補助装置は、前記直動アクチュエーターに加わる外力を検出する力センサーと、前記力センサーの出力値に基づいて前記直動アクチュエーターを力制御する制御部をさらに備えている。
【００２７】
本願の請求項１５に記載の技術によれば、請求項１に記載の運動補助装置は、前記足部の足底の接地状態を検出する接地センサーと、前記接地センサーの出力値に基づいて前記直動アクチュエーターの動作を制御する制御部をさらに備えている。
【００２８】
本願の請求項１６に記載の技術によれば、請求項１に記載の運動補助装置は、立脚側の前記脚ロッドにおいて前記ユーザーの膝の屈曲量θKPJに応じて体重を支持するような押し付け力ｆstanceを与え、遊脚側の前記脚ロッドにおいて前記ユーザーの股関節の屈曲量θHPJに応じて引き上げ力ｆswingを与えるように、前記直動アクチュエーターを力制御する制御部をさらに備えている。
【００２９】
本願の請求項１７に記載の技術によれば、請求項１６に記載の運動補助装置は、前記直動アクチュエーターの位置を検出するエンコーダーをさらに備えている。そして、前記制御部は、前記ユーザーの膝の屈曲量θKPJ並びに膝の屈曲量θKPJを前記直動アクチュエーターの位置で近似するように構成されている。
【００３０】
本願の請求項１８に記載の技術によれば、請求項１６に記載の運動補助装置の前記制御部は、立脚側の前記脚ロッドにおける押し付け力ｆstance、並びに、遊脚側の前記脚ロッドにおける引き上げ力ｆswingに、自重補償の力を考慮して前記直動アクチュエーターを力制御するように構成されている。
【００３１】
本願の請求項１９に記載の技術によれば、請求項１６に記載の運動補助装置の前記制御部は、立脚側の前記脚ロッドにおいて、遊脚側の前記脚ロッドにおける引き上げ力ｆswingが作用しないようにさらに考慮して、前記直動アクチュエーターを力制御するように構成されている。
【００３２】
また、本願の請求項２０に記載の技術は、請求項１に記載の運動補助装置を装着したユーザーの運動を補助する運動補助方法であって、
前記足部の接地状態を判定する判定ステップと、
遊脚側の前記脚ロッドにおいて前記ユーザーの股関節の屈曲量θHPJに応じて引き上げ力ｆswingを与えるように、前記直動アクチュエーターを力制御する第１の制御ステップと、
立脚側の前記脚ロッドにおいて前記ユーザーの膝の屈曲量θKPJに応じて体重を支持するような押し付け力ｆstanceを与えるように、前記直動アクチュエーターを力制御する第２の制御ステップと、
を有する運動制御方法である。
【発明の効果】
【００３３】
本明細書で開示する技術を適用した運動補助装置は、ユーザーの身体への固定を足部と腰部のみとし、直動アクチュエーターを内包した脚ロッドを介してユーザーの足部と腰部の間を接続するように構成される。この脚ロッドは、両脚の内側に配置され、体の幅方向サイズの影響を受けず、軽量である上、装置の重量を高い割合で補償する。脚ロッドと腰部との接続部は、ユーザーの腹前部である。脚ロッドは、上方への一方向性の力のみをユーザーの骨盤に伝達するように構成された簡潔なハーネスを介して、ユーザーの腰部と接続される。また、脚ロッドは、靴中央部に対して回転可能となるように、足部に接続される。
【００３４】
よって、本明細書で開示する技術によれば、以下に挙げるような複数の要件を同時に満たすことができる、優れた運動補助装置及び運動補助方法を提供することができる。
（１）着脱が容易である。
（２）長時間の運用においても不快感が少ない。
（３）安価である。
（４）ユーザーの体重の押し上げと、遊脚の引き上げの両サポートが行なえる。
（５）膝部が前に突出せず、外観上も問題とならない。
（６）着座から歩行まで広範な運動サポートが行なえる。
（７）装置重量がユーザーに作用し難い。
（８）サポート力により横転倒モーメントが発生し難い。
（９）ユーザーの身体サイズへの依存性が低い。
（１０）小型で扱い易い。
【００３５】
本明細書で開示する技術のさらに他の目的、特徴や利点は、後述する実施形態や添付する図面に基づくより詳細な説明によって明らかになるであろう。
【図面の簡単な説明】
【００３６】
【図１】図１は、本明細書で開示する技術を適用した脚部アシスト・スーツ１００の構成を模式的に示した図である。
【図２】図２は、直動アクチュエーター１２０の構成例を示した図である。
【図３】図３は、ホスト・コンピューター１４０を中心に構築された、脚部アシスト・スーツ１００の制御システム３００の構成例を示した図である。
【図４】図４は、脚部アシスト・スーツ１００をユーザーの腰部に固定するハーネス４００の構成を模式的に示した図である。
【図５】図５は、ユーザーの腹前部並びに体幹内部をそれぞれ力の作用点とした場合に、足部から力が作用する様子を模式的に示した図である。
【図６】図６は、脚部アシスト・スーツ１００をユーザーの足部に取り付ける構成を模式的に示した図である。
【図７Ａ】図７Ａは、左右脚のフリーな股関節ロール軸の距離が離れているように構成された脚部アシスト・スーツ１００により歩行動作をサポートする様子を模式的に示した図である。
【図７Ｂ】図７Ｂは、左右脚のフリーな股関節ロール軸が一点に集約されるように構成された脚部アシスト・スー１００により歩行動作をサポートする様子を模式的に示した図である。
【図８Ａ】図８Ａは、左右脚のフリーな股関節ロール軸の距離が離れている場合に、歩行動作中に立脚から受けるアシスト力によるロール軸回りの横転倒モーメントを模式的に示した図である。
【図８Ｂ】図８Ｂは、左右脚のフリーな股関節ロール軸が一点に集約されている場合に、歩行動作中に立脚から受けるアシスト力によるロール軸回りの横転倒モーメントを模式的に示した図である。
【図９Ａ】図９Ａは、ユーザーの脚に上下方向の伸縮力を発生するために、中間部に回転関節９０１を配置した脚部アシスト・スーツの構成を模式的に示した図である。
【図９Ｂ】図９Ｂは、直動式でユーザーの脚に上下方向の伸縮力を発生する脚部アシスト・スーツの構成を模式的に示した図である。
【図１０】図１０は、脚部アシスト・スーツ１００を装着したユーザーが着座した状態を模式的に示した図である。
【図１１】図１１は、脚ロッド（ＬＲ）１１０Ｌ及び１１０Ｒが相互に干渉しない可動範囲を示した図である。
【図１２】図１２は、ユーザーの脚部動作と、脚部アシスト・スーツ１００の動作を模式的に示した図である。
【図１３】図１３は、脚部アシスト・スーツ１００の動作を制御するための処理手順を示したフローチャートである。
【図１４】図１４は、脚部アシスト・スーツ１４００の他の構成例を示した図である。
【図１５】図１５は、腰部バックル１４０２を上方から眺めた様子を模式的に示した図である。
【図１６】図１６は、腰部バックル１４０２を腰部ハーネス１４０１に装着する様子を示した図である。
【図１７】図１７は、脚ロッド（ＬＲ）１４０３の下端を足部１４０４に接続する様子を示した図である。
【図１８】図１８は、直動アクチュエーターの他の構成例を示した図である。
【図１９】図１９は、直動アクチュエーターの他の構成例を示した図である。
【発明を実施するための形態】
【００３７】
以下、図面を参照しながら本明細書で開示する技術の実施形態について詳細に説明する。
【００３８】
図１には、本明細書で開示する技術を適用した脚部アシスト・スーツ１００の構成を模式的に示している。
【００３９】
図示の脚部アシスト・スーツ１００は、ユーザーの身体への固定を腰部と足部のみであり、ユーザーの身体の拘束箇所を最低限としている。脚部アシスト・スーツ１００は、左右の脚毎に、腰部と足部の間を接続する脚ロッド（Ｌｅｇ  Ｒｏｄ：ＬＲ）１１０Ｌ及び１１０Ｒと、これらの脚ロッド（ＬＲ）１１０Ｌ及び１１０Ｒの中間部付近にそれぞれ内蔵され、脚ロッド（ＬＲ）１１０Ｌ及び１１０を長手方向に伸縮させる直動アクチュエーター１２０Ｌ及び１２０Ｒを備えている。
【００４０】
図１に示すように、左右の脚ロッド（ＬＲ）１１０Ｌ及び１１０Ｒはともに、ユーザーの両脚の内側に配置されている。したがって、ユーザーが脚部アシスト・スーツ１００を装着した際に、体の幅方向サイズの影響を受けない。また、脚部アシスト・スーツ１００は、軽量である上、装置の重量を高い割合で補償する。
【００４１】
左右の脚ロッド（ＬＲ）１１０Ｌ及び１１０Ｒの各上端は、ハーネス（後述）で構成される簡潔な装具（後述）を介して、ユーザーの腹前部にそれぞれ接続されている。この腰部（ハーネス）には、直動アクチュエーター１２０Ｌ及び１２０Ｒの駆動制御などの演算処理を行なうホスト・コンピューター１４０や駆動電源であるバッテリー１４１が搭載されている。
【００４２】
脚ロッド（ＬＲ）１１０Ｌ及び１１０Ｒの各上端の接続部１１１Ｌ及び１１１Ｒ間は、骨盤リンク（Ｐｅｌｖｉｓ  Ｌｉｎｋ：ＰＬ）を構成する。脚ロッド（ＬＲ）１１０Ｌ及び１１０Ｒの各上端のハーネスとの接続部１１１Ｌ及び１１１Ｒはともに、股関節ロール軸（Ｈｉｐ  Ｒｏｌｌ  Ｊｏｉｎｔ：ＨＲＪ）と股関節ピッチ軸（Ｈｉｐ  Ｐｉｔｃｈ  Ｊｏｉｎｔ：ＨＰＪ）の２軸回転自由度を有しており、この２自由度により各脚の足先の方向（各脚ロッド（ＬＲ）１１０Ｌ及び１１０Ｒ）を前後左右に揺動することができる。これらの股関節ロール軸ＨＲＪ、股関節ピッチ軸ＨＰＪはいずれも非駆動関節（Ｒｏｔａｔｉｏｎａｌ  Ｕｎａｃｔｕａｔｅｄ  Ｊｏｉｎｔ）である。脚ロッド（ＬＲ）１１０Ｌ及び１１０Ｒはそれぞれ、直動型アクチュエーター１２０Ｌ及び１２０Ｒが発生する上方への一方向性の力のみを、ハーネスを介してユーザーの骨盤に伝達することができる。
【００４３】
また、左右の脚ロッド（ＬＲ）１１０Ｌ及び１１０Ｒの各下端はそれぞれ、靴中央部に対して回転可能となるように、足部に接続される。脚ロッド（ＬＲ）１１０Ｌ及び１１０Ｒの各下端の接続部１１２Ｌ及び１１２Ｒはともに、足首関節ヨー軸（Ａｎｋｌｅ  Ｙａｗ  Ｊｏｉｎｔ：ＡＹＪ）、足首関節ロール軸（Ａｎｋｌｅ  Ｒｏｌｌ  Ｊｏｉｎｔ：ＡＲＪ）、及び足首関節ピッチ軸（Ａｎｋｌｅ  Ｐｉｔｃｈ  Ｊｏｉｎｔ：ＡＰＪ）の３軸回転自由度を有しており、この３自由度により各脚の足部の姿勢を自在に決定することができる。これらの足首関節ヨー軸ＡＹＪ、足首関節ロール軸ＡＲＪ、足首関節ピッチ軸ＡＰＪはいずれも非駆動関節である。
【００４４】
また、左右の足底部には、足底と路面の間の接触状態を検出するための接触センサー（ｆｏｏｔＳＷ）１３０Ｌ及び１３０Ｒがそれぞれ搭載されている。
【００４５】
ここで、脚部アシスト・スーツ１００の自由度構成について整理すると、左右それぞれの脚について、脚ロッド（ＬＲ）１１０Ｌ及び１１０Ｒの上端の接続部１１１Ｌ及び１１１Ｒの２関節自由度（ＨＲＪ、ＨＰＪ）と、脚ロッド（ＬＲ）１１０Ｌ及び１１０Ｒの直動アクチュエーター１２０Ｌ及び１２０Ｒの直進自由度と、脚ロッド（ＬＲ）１１０Ｌ及び１１０Ｒの下端の接続部１１２Ｌ及び１１２Ｒの３関節自由度（ＡＹＪ、ＡＲＪ、ＡＰＪ）、すなわち、脚毎に合計６自由度を持つ。接続部１１１Ｌ及び１１１Ｒの２関節自由度（ＨＲＪ、ＨＰＪ）は、足先の方向（脚ロッド（ＬＲ）１１０Ｌ及び１１０Ｒ）を前後左右に揺動し、直進自由度は脚先の方向での足部までの距離（脚ロッド（ＬＲ）１１０Ｌ及び１１０Ｒの長さ）を決定し、３関節自由度（ＡＹＪ、ＡＲＪ、ＡＰＪ）は足部の姿勢を決定する。
【００４６】
なお、接続部１１１Ｌ、１１１Ｒに、さらに股関節ヨー軸ＨＹＪを設けるなど、脚毎に６自由度を超える冗長自由度を与えるという脚部アシスト・スーツ１００の自由度構成方法も考えられるが、制御を徒に難しくするという問題もある（例えば、足先の方向を前後左右に揺動するには、股関節ロール軸ＨＲＪ及び股関節ピッチ軸ＨＰＪの２自由度があれば十分であり、股関節ヨー軸ＨＹＪは冗長若しくは不要な自由度となる）。
【００４７】
左右の直動アクチュエーター１２０Ｌ及び１２０Ｒは、上述したように、各脚ロッド（ＬＲ）１１０Ｌ及び１１０Ｒの中間部付近に内蔵され、脚ロッド（ＬＲ）１１０Ｌ及び１１０Ｒを長手方向に伸縮させる。図２には、直動アクチュエーター１２０の構成例を示している。
【００４８】
直動アクチュエーター１２０は、駆動用のモーター２０１を備えている。モーター２０１の出力軸は、ボールねじ２０２に連結されている。ボールねじ２０２は、ねじ軸２０２ａと、ねじ軸２０２ａを挿通させたナット２０２ｂからなる。ナット２０２ｂの内周には、ねじ溝（図示しない）が形設されており、ねじ軸２０２ａが回転するとナット２０２ｂがねじ軸２０２ａに沿って移動する。したがって、モーター２０１の回転運動をナット２０２ｂによる直線運動に変換し、その結果、脚ロッド（ＬＲ）１１０の長手方向の運動を生成する。
【００４９】
また、モーター２０１の回転子には、回転位置を検出するエンコーダー２０４が取り付けられている。ねじ軸２０２ａの回転量とナット２０２ｂの移動量には比例関係が成立し、したがって、エンコーダー２０４の出力値に基づいて、脚ロッド（ＬＲ）１１０が長手方向に伸縮する変位量に換算することができる。
【００５０】
また、ナット２０２ｂには、力センサー２０３が取り付けられている。力センサー２０３は、ナット２０２ｂがねじ軸２０２ａの軸方向に直進する際、言い換えれば、脚ロッド（ＬＲ）１１０が長手方向に伸縮する際に加わる外力を検出する。
【００５１】
なお、モーター２０１の回転運動を直線運動に変換するために、ボールねじ以外の機構を用いて直動アクチュエーター１２０を構成するようにしてもよい。図１８には、直動アクチュエーターの他の構成例を示している。図示のアクチュエーター１８００は、レール１８０１と、レール１８０１上を可動なスライダー１８０２と、回転モーター１８０３と、ワイヤー１８０４で構成され、ボールねじを使用しない。回転モーター１８０３の回転駆動によって、ワイヤー１８０４を介してスライダー１８０２を牽引する。そして、スライダー１８０２は、レール１８０１に沿って、紙面上下方向に移動する。レール１８０１及びスライダーをほぼ同形の円弧状に形成することで、直動アクチュエーターの軌道は円弧を描くことになる。また、図１９に示すように、レール１９０１及びスライダー１９０２を任意の曲線状で形成することで、任意形状の軌道を描く直動アクチュエーター１９００を構成することができる。回転モーター１９０３の回転駆動によってワイヤー１９０４を介してスライダー１９０２を牽引する点は、図１８と同様である。直動アクチュエーターは、直線ではなく任意の曲線であってもよい。図１９に示したように、レール１９０１とスライダー１９０２とワイヤー１９０４を用いて構成することにより、任意の曲線からなる直動アクチュエーターを実現することができる。
【００５２】
図３には、ホスト・コンピューター１４０を中心に構築された、脚部アシスト・スーツ１００の制御システム３００の構成例を示している。
【００５３】
各直動アクチュエーター１２０Ｌ及び１２０Ｒには、ホスト・コンピューター１４０との通信を行なうためのマイコン３０１Ｌ及び３０１Ｒがそれぞれ併設されている。ホスト・コンピューター１４０は、マイコン３０１Ｌ及び３０１Ｒを介して、力センサー２０３Ｌ及び２０３Ｒの出力値と、エンコーダー２０４Ｌ及び２０４Ｒの出力値を、それぞれ読み出すことができる。また、ホスト・コンピューター１４０は、マイコン３０１Ｌ及び３０１Ｒを介して各モーター２０１Ｌ及び２０１Ｒの駆動回路に制御目標値を与えることができる。
【００５４】
ホスト・コンピューター１４０は、力センサー２０３Ｌ及び２０３Ｒの出力値と、エンコーダー２０４Ｌ及び２０４Ｒの出力値を用いて、各直動アクチュエーター１２０Ｌ及び１２０Ｒの力制御を行なう。各直動アクチュエーター１２０Ｌ及び１２０Ｒには、摩擦や慣性といったモデル化や同定が困難な、大きな誤差を生む要因がある。これに対し、本実施形態では、脚部アシスト・スーツ１００において理想的な関節部（ＩＪＵ）を実現するために、各直動アクチュエーター１２０Ｌ及び１２０Ｒの力制御を行なう。各直動アクチュエーター１２０Ｌ及び１２０Ｒの駆動には、上記のモデル化や同定が困難な外乱の要因に対処し、数理モデル（理想応答モデル）に基づいて出力トルクを指示することができる制御系を適用する。具体的には、力センサー２０３Ｌ、２０３Ｒの値と、エンコーダー２０４Ｌ、２０４Ｒの出力を用いて各モーター２０１Ｌ、２０１Ｒの制御を行ない、数理モデルに基づく精密な応答を実現する（例えば、特許文献３を参照のこと）。
モーター２０１Ｌ、２０１Ｒは、指令トルク及び外トルクに対し、指定されたイナーシャーと粘性抵抗によって支配される、精密な２次系の応答を示す。これにより、（ボールねじ２０２などの）摩擦などによって関節の動きが阻害されることなく、わずかな力が関節に作用しても、精密に各直動アクチュエーター１２０Ｌ及び１２０Ｒの加速度変化となって現れるようにすることができる。その結果、脚部アシスト・スーツ１００を装着したユーザーの関節に抵抗感を与えることなく、運動をサポートする力を発することができる。
【００５５】
また、左右の足底部の接触センサー（ｆｏｏｔＳＷ）１３０Ｌ及び１３０Ｒには、ホスト・コンピューター１４０との通信を行なうためのマイコン３０２Ｌ及び３０２Ｒがそれぞれ併設されている。ホスト・コンピューター１４０は、マイコン３０２Ｌ及び３０２Ｒを介して各接触センサー（ｆｏｏｔＳＷ）１３０Ｌ及び１３０Ｒの出力値を読み出すことができる。
【００５６】
ホスト・コンピューター１４０は、左右の足底部と路面との接触状態を基に左右それぞれの脚が立脚又は遊脚のいずれであるかを判断することができる。そして、ホスト・コンピューター１４０は、脚が立脚又は遊脚のいずれの状態であるかに応じて左右の直動アクチュエーター１２０Ｌ及び１２０Ｒの力制御を行なう直動アクチュエーター１２０Ｌ及び１２０Ｒの力制御の詳細については、後述に譲る。
【００５７】
図４には、脚部アシスト・スーツ１００をユーザーの腰部に固定する装具の一例として、軽量なハーネス４００の構成を模式的に示している。
【００５８】
ハーネス４００は、左右の脚ロッド（ＬＲ）１１０Ｌ及び１１０Ｒから作用する上方力を、ユーザーの骨盤に伝達するように構成されている。具体的には、ユーザーの左右の大腿部付け根に装着する左右の大腿部ハーネス（Ｔｈｉｇｈ  Ｈａｒｎｅｓｓ：ＴＨ）４０１Ｌ及び４０１Ｒと、ユーザーの腰部に装着する腰部ハーネス（Ｗａｉｓｔ  Ｈａｒｎｅｓｓ：ＷＨ）４０２と、腰部ハーネス（ＷＨ）４０２と大腿部ハーネス（ＴＨ）４０１Ｌ及び４０１Ｒの各々との間を連結する直線状の連結ハーネス（Ｃｏｎｎｅｃｔ  Ｈａｒｎｅｓｓ：ＣＨ）４０３Ｌ及び４０３Ｒで構成される。
【００５９】
左右の脚ロッド（ＬＲ）１１０Ｌ及び１１０Ｒの各上端は、環状の腰部ハーネス（ＷＨ）４０２の前部に、腰部アタッチメント（Ｗａｉｓｔ  Ａｔｔａｃｈｍｅｎｔ：ＷＡ）４０４上の接続部１１１Ｌ及び１１１Ｒを介して取り付けられる。腰部アタッチメント（ＷＡ）４０４は、硬質素材で形成されており、腰部ハーネス（ＷＨ）４０２にワンタッチで一体化される。腰部アタッチメント（ＷＡ）４０４を腰部ハーネス（ＷＨ）４０２から取り外すことで、左右の脚ロッド（ＬＲ）１１０Ｌ及び１１０はハーネス４００から分離する。あるいは、脚ロッド（ＬＲ）１１０Ｌ及び１１０が腰部アタッチメント（ＷＡ）４０４に着脱自在であるように構成してもよい。
【００６０】
また、直線状の連結ハーネス（ＣＨ）４０３Ｌ及び４０３Ｒも、腰部アタッチメント（ＷＡ）４０４を介して腰部ハーネス（ＷＨ）４０２の前部に接続される。
【００６１】
ここで、脚ロッド（ＬＲ）１１０Ｌ又は１１０Ｒが伸展すると、上方に向かう力Ｆが、腰部アタッチメント（ＷＡ）４０４の作用点ＡＰに作用する。そして、この上方に向かう力Ｆにより、左右の大腿部ハーネス（ＴＨ）４０１Ｌ及び４０１Ｒは、連結ハーネス（ＣＨ）４０３Ｌ及び４０３Ｒを介して上方に引き上げられる。
【００６２】
腰部アタッチメント（ＷＡ）４０４、すなわち腰部ハーネス（ＷＨ）４０２の前部は、ユーザーの腹前部の中央付近に位置する。左右の大腿部ハーネス（ＴＨ）４０１Ｌ及び４０１Ｒは、連結ハーネス（ＣＨ）４０３Ｌ及び４０３Ｒを介して上方に引き上げられると、それぞれ骨盤と作用点ＡＰ１、ＡＰ２で接触して、上方に向かう力Ｆ１、Ｆ２を骨盤に作用させる。これにより、脚ロッド（ＬＲ）１１０Ｌ、１１０Ｒの伸縮動作により腰部アタッチメント（ＷＡ）４０４の作用点ＡＰに作用する、上方に向かう力Ｆは、連結ハーネス（ＣＨ）４０３Ｌ及び４０３Ｒを介して、各作用点ＡＰ１、ＡＰ２に作用する力Ｆ１、Ｆ２として骨盤に伝えられる。
【００６３】
環状の腰部ハーネス（ＷＨ）４０２の前部は、ユーザーの腹前部に位置する。したがって、本実施形態に係る脚部アシスト・スーツ１００を装着したユーザーへの力の作用点はユーザーの腹前部ということになる。
【００６４】
一方、ユーザーの腹前部ではなく、体幹内部を力の作用点とするようが理想的であるとする考え方がある。しかしながら、ユーザーの体幹内部を力の作用点とするためには、アシスト・スーツに周知の機械機構であるジンバルや円弧スライダーを用いる必要があり（例えば、特許文献４を参照のこと）、装置重量が増す、装着したままでの着座が困難になる。高価格化を招来するなどの問題がある。これに対し、図４に示す、ユーザーの腹前部を力の作用点とする脚部アシスト・スーツ１００の構成によれば、軽量であり、装着したままでもユーザーは着座が可能であり、安価に構成することができるというメリットがある、と本出願人は思料する。
【００６５】
図５には、ユーザーの腹前部並びに体幹内部をそれぞれ力の作用点とした場合に、歩行中のユーザーの立脚側の足部から力が作用する様子を模式的に示している。同図中、足部から腹前部に作用する力Ｆfを実線矢印で、足部から体幹内部に作用する力Ｆcを点線矢印で、それぞれ示している。また、足部から腹前部に作用する力Ｆf並びに足部から体幹内部に作用する力Ｆcの前後方向の各分力Ｆfx、Ｆcxを併せて示している。同図からも分かるように、力Ｆfxの方が力Ｆcxよりも小さい。これは、ユーザーの腹前部を力の作用点とした方が、ユーザーの体の前後方向に作用する余分な力が小さくて済むことを意味する。
【００６６】
したがって、上述並びに図４に示したしたように、脚部アシスト・スーツ１００からユーザーに力が作用する作用点をユーザーの腹前部にした方が、体幹内部を作用点とする場合と比較して、歩行時に前後方向の力作用を脚ロッド（ＬＲ）１１０Ｌ及び１１０Ｒから受け難く、自然な力サポートを行なうことができる。
【００６７】
図４に示したハーネス４００は、例えば前部にバックル（図示しない）を設けることにより、ユーザーが着脱を容易に行なえるように構成することができる。また、腰部アタッチメント（ＷＡ）４０４に、ホスト・コンピューター１４０やバッテリー１４１などからなるデバイスを装着することも、極めて容易である。したがって、搭乗方式の歩行補助装置（例えば、特許文献１を参照のこと）と比較して、本実施形態に係る脚部アシスト・スーツ１００は着脱の容易性を損なわないということができる。
【００６８】
腰部アタッチメント（ＷＡ）４０４に上方力Ｆが作用すれば、連結ハーネス（ＣＨ）４０３Ｌ及び４０３Ｒが伸び切って、大腿部ハーネス（ＴＨ）４０１Ｌ及び４０１Ｒが変形する。その結果、作用点ＡＰ１、ＡＰ２で力が骨盤に作用するようになる。したがって、ハーネス４００を強固に締め付ける必要はなく、装着によりユーザーに与える不快感は小さい。
【００６９】
また、大腿部ハーネス（ＴＨ）４０１Ｌ及び４０１Ｒの作用点ＡＰ１、ＡＰ２付近や、ユーザーの臀部と当接する部位付近に、軟質素材やパッド（図示しない）を配置することで、ユーザーに加わる圧力を分散させ、さらに快適性を向上することもできる。
【００７０】
搭乗方式の歩行補助装置（例えば、特許文献１を参照のこと）は、概して、股関節部の機構が複雑化し、装置重量の増大や高価格化を招来する、装着したままではユーザーは着座できない、といったデメリットがある。これに対し、本実施形態に係る脚部アシスト・スーツ１００は、そのような問題はなく、トータルで実用性が向上する、と本出願人は思料する。
【００７１】
図６には、脚部アシスト・スーツ１００をユーザーの足部に取り付ける構成を模式的に示している。図示のように、脚部アシスト・スーツ１００の左右の足底部６０１Ｌ及び６０１Ｒは、ユーザーの履いている靴とワンタッチ着脱機構６０２Ｌ及び６０２Ｒを介して接続される。
【００７２】
例えば自転車のペダルやスキー靴のスキー板への取り付けに利用されているクリップ・システム（図示しない）をワンタッチ着脱機構６０２Ｌ及び６０２Ｒに適用することもできる。
【００７３】
足底部６０１Ｌ及び６０１Ｒは、それぞれ足部連結ジョイント６０３Ｌ及び６０３Ｒを介して、各脚ロッド（ＬＲ）１１０Ｌ及び１１０Ｒの下端と接続される。足部連結ジョイント６０３Ｌ及び６０３Ｒは、足首関節ヨー軸（ＡＹＪ）、足首関節ロール軸（ＡＲＪ）、及び足首関節ピッチ軸（ＡＰＪ）の回転３自由度を有している。その回転中心（ピボット）は、前後方向に関してユーザーの足部拇指丘付近、幅方向に関して足底の中心付近に位置する。このような軸配置により、脚部アシスト・スーツ１００が遊脚の引き上げ力を作用しても、ユーザーが内股になったりガニ股になったりする不快なモーメントを作用し難くすることができる。
【００７４】
ちなみに、搭乗方式の歩行補助装置（例えば、特許文献１を参照のこと）は、ピボットが足底幅方向内側にあることを訴求している。これは、脚の引き上げアシストを第一義的に想定していないためであると思料される。ピボットが足底幅方向の中心ではなく内側に配置する構成では、実際には、遊脚がガニ股になろうとする、不快なモーメントが人体に作用する。したがって、総合的視点からは、足底幅方向の中央付近に各足部連結ジョイント６０３Ｌ及び６０３Ｒのピボットを配置することが望ましいといえる。
【００７５】
左右の脚ロッド（ＬＲ）１１０Ｌ及び１１０Ｒの各上端は、腰部アタッチメント（ＷＡ）４０４に接続される（前述）。その接続部１１１Ｌ及び１１１Ｒには、ピッチ方向とロール方向の２軸フリー・ジョイントが構成され、骨盤から見て各脚ロッド（ＬＲ）１１０Ｌ及び１１０Ｒが前後及び左右で自在な方向を向けるようになっている。
【００７６】
左右のロール方向のフリー・ジョイントは、なるべく骨盤の幅方向中央に存在するように（望ましくは同軸となるように）構成することが好ましい。その理由について、図７Ａ及び図７Ｂ、並びに、図８Ａ及び図８Ｂを参照しながら説明する。
【００７７】
図７Ａには、左右脚のフリーな股関節ロール軸の距離が離れているように構成された脚部アシスト・スーツ１００により歩行動作をサポートする様子を模式的に示している。左右脚のフリーな股関節ロール軸の距離が離れていると、同図右に示すように、脚部アシスト・スーツ１００の遊脚側における自重がユーザーに作用し易い（図中、自重により発生するモーメントを矢印７０１で示している）。
【００７８】
一方、図７Ｂには、左右の股関節ロール軸が一点に集約されるように脚部アシスト・スーツ１００により歩行動作をサポートする様子を模式的に示している。この場合、骨盤リンクの落ち込みが生じ難く、脚部アシスト・スーツ１００の遊脚の重量がユーザーに作用し難い。
【００７９】
また、図８Ａ及び図８Ｂには、左右脚のフリーな股関節ロール軸の距離が離れている場合と一点に集約されている場合の各々において、歩行動作中に立脚から受けるアシスト力によるロール軸回りの横転倒モーメントを模式的に示している。
【００８０】
図８Ａには、左右脚のフリーな股関節ロール軸の距離が離れているように構成された脚部アシスト・スーツ１００において、歩行動作中に立脚から受けるアシスト力８０１によるロール軸回りの横転倒モーメントを、矢印８０２で示している。左右脚のフリーな股関節ロール軸の距離が離れていると、ユーザーの体の中心から見たモーメント・アーム８０３が大きくなるので、横転倒モーメント８０２が大きくなり、ユーザーに作用し易い。
【００８１】
一方、図８Ｂには、左右の股関節ロール軸が一点に集約されるように脚部アシスト・スーツ１００において、歩行動作中に立脚から受けるアシスト力８０４によるロール軸回りの横転倒モーメントを、矢印８０５で示している。左右脚のフリーな股関節ロール軸の距離を短くすると、ユーザーの体の中心から見たモーメント・アーム８０６が小さくなるので、横転倒モーメント８０５を小さく抑えて、ユーザーに作用し難くすることができる。
【００８２】
図８Ａ及び図８Ｂを比較すると、各脚ロッド（ＬＲ）１１０Ｌ及び１１０Ｒと腰部アタッチメント（ＷＡ）４０４との接合点が骨盤の幅方向中央付近にある方（すなわち、図８Ｂに示す方）が、横転倒モーメントを各段に小さく抑えることができることが分かる。
【００８３】
また、左右の股関節ロール軸を一点に集約するように脚部アシスト・スーツ１００を構成すると、体の幅方向の部品数を削減して、軽量化、低コスト化を図れる、人体の幅方向サイズへの適合必要性が低くなる、といったメリットもある。
【００８４】
上述したように、脚ロッド（ＬＲ）１１０Ｌ及び１１０Ｒは、ボールねじ２０２の機構により、長手方向に伸縮自在となるように構成されている（勿論、ボールねじ以外の機構を用いて、長手方向に伸縮自在となるように構成してもよい）。ここで、本実施形態に係る脚部アシスト・スーツ１００のように直動アクチュエーター１２０の長手方向の動作を用いて脚部の屈伸などの運動をアシストする方法を、膝関節など脚の中間部の回転関節の駆動によりアシストする方法と対比してみる。
【００８５】
図９Ａには、ユーザーの脚に上下方向の伸縮力を発生するために、膝付近などの脚の中間部に回転関節９０１を配置した脚部アシスト・スーツの構成を模式的に示している。この場合、脚部上端の上下方向の操作空間において、姿勢によって可操作度が大きく変動する（回転関節の回転による力の発生方向を、図中の矢印９０２で示すが、可操作度が大きく変動する）。また、膝の伸び切った特異姿勢では、可操作度が小さくなり、上方力を作用できなくなる。言い換えれば、特異姿勢に陥ることなく、上方力を効率よく発生して上下動を可能にするためには、膝を十分屈曲させておく必要がある。ところが、膝を屈曲させた姿勢では、図９Ａからも分かるように、脚部アシスト・スーツは前後方向の張り出し量９０３が大きくなった格好となり、外観上、好ましくない。
【００８６】
一方、図９Ｂには、本実施形態のように、直動式でユーザーの脚に上下方向の伸縮力を発生する脚部アシスト・スーツ１００の構成を模式的に示している。図示のように、直動アクチュエーター１２０の動作により上下方向の力９０４が発生するが、特異姿勢は存在しない。したがって、上下動を行なう際、可操作度は、直動関節値に依存せず一定であることから、常に良好な力サポートを行なうことができる。また、上方力を効率よく発生させるために、膝を屈伸させる必要がない。したがって、上下動を行なう際に、脚部アシスト・スーツが前後方向に張り出すことはなく、外観も優れている。
【００８７】
続いて、脚部アシスト・スーツ１００の着座時における脚ロッド（ＬＲ）１１０Ｌ及び１１０Ｒと椅子との干渉について考察してみる。図１０には、本実施形態に係る脚部アシスト・スーツ１００を装着したユーザーが着座した状態を模式的に示している。着座時に脚ロッド（ＬＲ）１１０Ｌ及び１１０Ｒと椅子が干渉することが懸念されるが、図１０からも分かるように、椅子１００１と干渉することは稀である。余裕を持たせるために、同図破線１００２で示すように、脚ロッド（ＬＲ）１１０Ｌ及び１１０Ｒの一部を、ユーザーの体前部に向かって凸となるように少し湾曲させるなど、直線ではなく非線形状で構成するようにしてもよい。
【００８８】
また、左右の脚ロッド（ＬＲ）１１０Ｌ及び１１０Ｒはともに、両脚の内側に配置されていることから、脚ロッド（ＬＲ）１１０Ｌ及び１１０Ｒ間の干渉が懸念される。上述したように、左右の脚ロッド（ＬＲ）１１０Ｌ及び１１０Ｒは、股関節ロール軸（ＨＲＪ）と股関節ピッチ軸（ＨＰＪ）の２軸回転自由度を有する接続部１１１Ｌ及び１１１Ｒを介して、前後及び左右方向に揺動可能に、腰部ハーネス（ＷＨ）４０２の前部に取り付けられている。図１１に示すように、脚ロッド（ＬＲ）１１０Ｌ及び１１０Ｒが相互に干渉しない可動範囲となるようにすることが好ましい。例えば、各接続部１１１Ｌ及び１１１Ｒにおける股関節ロール軸（ＨＲＪ）の可動域を制限するメカリミット（図示しない）を配置して、図１１中の参照番号１１０１、１１０２でそれぞれ示すように、脚ロッド（ＬＲ）１１０Ｌ及び１１０Ｒの可動範囲を設定することができる。
【００８９】
続いて、脚部アシスト・スーツ１００による力のサポート則について説明する。人間の歩行や走行、階段の昇降などの脚部動作は、左右の脚を交互に立脚、遊脚にすることで実現する。
【００９０】
立脚側の脚は、例えば階段を昇る際に、膝関節ピッチ軸を伸展させてユーザーの体重を押し上げる動作を行なう。膝関節ピッチ軸が屈曲すると、ユーザーは体重を押し上げるのが苦しくなる。そこで、脚部アシスト・スーツ１００は、立脚側では、膝の屈曲量θKPJに応じて体重を支持するような押し付け力ｆstanceを立脚側の直動アクチュエーター１２０に発生させて、ユーザーに与えることが望まれる（図１２（ａ）を参照のこと）。
【００９１】
また、遊脚側の脚は、胴体に対して大腿部を屈曲させるように股関節ピッチ軸を屈曲させて、遊脚を引き上げる動作を行なう。股関節が曲がるほど遊脚は引き上がるが、遊脚の引き上げが十分でないと、遊脚のつま先が地面にぶつかってしまう。脚部アシスト・スーツ１００は、遊脚側では、股関節の屈曲量θHPJに応じて引き上げ力ｆswingを遊脚側の直動アクチュエーター１２０に発生させて、ユーザーに与えることが望まれる（図１２（ｃ）を参照のこと）。
【００９２】
遊脚側における股関節ピッチ軸の屈曲量θHPJは、同脚における直動アクチュエーター１２０の位置ｘswingで近似することができる。同様に、立脚側における膝関節ピッチ軸の屈曲量θKPJは、同脚における直動アクチュエーター１２０の位置ｘstanceで近似することができる（図１２（ｄ）を参照のこと）。勿論、股関節ピッチ軸や膝関節ピッチ軸にエンコーダーを取り付けて、各関節の屈曲量θHPJ、θKPJを直接測定するように構成してもよい。
【００９３】
脚部アシスト・スーツ１００は、力サポートを行なう際に、立脚、遊脚とも、自重補償のための力を発するのが好ましい。立脚の脚部アシスト・スーツ１００の自重をｍstanceとおくと、自重補償の力は−ｍstanceｇである。また、遊脚の脚部アシスト・スーツ１００の自重をｍswingとおくと、自重補償の力はｍwingｇである。但し、引き上げ方向を正方向、押し下げ方向を負方向とする。
【００９４】
さらに、立脚側には、遊脚の引き上げに要した力も作用するので、腰部アタッチメント（ＷＡ）４０４からユーザーに遊脚引き上げのための力ｆswingが作用しないようにする。
【００９５】
よって、遊脚及び立脚にそれぞれ作用させるサポート力ｆswing、ｆstanceの制御則は、それぞれ下式（１）、（２）のように表わされる。但し、各式において、Ｋp1、Ｋp2はそれぞれ正のゲインとする。
【００９６】
【数１】
2014104185.tif 000003
【００９７】
【数２】
2014104185.tif 000004
【００９８】
各サポート力ｆswing、ｆstanceは、遊脚及び立脚側それぞれの直動アクチュエーター１２０の力とする。立脚、遊脚の判定は、左右それぞれの足部に設けられた接触センサー１３０Ｌ／Ｒの出力値に基づいて行なうことができる（前述）。上式（２）に示すように、立脚側のサポート力ｆstanceには、ユーザーに遊脚引き上げ力を作用させないための力−ｆswingを加える必要があることから、まず遊脚、次いで立脚の順でサポート力ｆswing、ｆstanceを算出する。
【００９９】
図１３には、本実施形態に係る脚部アシスト・スーツ１００の動作を制御するための処理手順をフローチャートの形式で示している。この処理手順は、例えばホスト・コンピューター１４０が所定のプログラム・コードを実行するという形態で実現することができる。
【０１００】
まず、ホスト・コンピューター１４０は、マイコン３０２Ｌ及び３０２Ｒを介して各接触センサー（ｆｏｏｔＳＷ）１３０Ｌ及び１３０Ｒの出力値を読み出して、左右それぞれの足の接地状況を判定する（ステップＳ１３０１）。接地が判定された脚を立脚（ｓｔａｎｃｅ）とし、接地していないと判定された脚を遊脚（ｓｗｉｎｇ）とする。
【０１０１】
次いで、ホスト・コンピューター１４０は、マイコン３０１Ｌ及び３０１Ｒを介して、各直動アクチュエーター１２０Ｌ及び１２０Ｒのエンコーダー２０４Ｌ及び２０４Ｒの出力値を読み出して、左右の脚ロッド（ＬＲ）１１０Ｌ及び１１０Ｒの伸縮量ｘを測定する（ステップＳ１３０２）。立脚側の伸縮量をｘstanceとし、遊脚側の伸縮量ｘswingとする。
【０１０２】
また、ホスト・コンピューター１４０は、マイコン３０１Ｌ及び３０１Ｒを介して、各直動アクチュエーター１２０Ｌ及び１２０Ｒの力センサー２０３Ｌ及び２０３Ｒの出力値を読み出す。
【０１０３】
次いで、ホスト・コンピューター１４０は、上式（１）、（２）に示した制御側に基づいて、遊脚、立脚の順で、各直動アクチュエーター１２０Ｌ及び１２０Ｒの発生力の目標値をｆswing、ｆstanceを算出する（ステップＳ１３０３）。
【０１０４】
そして、ホスト・コンピューター１４０は、ステップＳ１３０３で算出した発生力目標値をｆswing、ｆstanceを、マイコン３０１Ｌ及び３０１Ｒを介して各モーター２０１Ｌ及び２０１Ｒの駆動回路に送信して、各直動アクチュエーター１２０Ｌ及び１２０Ｒの力センサー２０３Ｌ及び２０３Ｒの出力値に基づいて力制御を実行する（ステップＳ１３０４）。
【０１０５】
ホスト・コンピューター１４０は、上述した制御ループＳ１３０１〜Ｓ１３０４を、例えば１０ミリ秒の制御周期で繰り返し実行すればよい。
【０１０６】
図１や図４に示した脚部アシスト・スーツ１００は、ユーザーの大腿部付け根（ＴＨ）と腰部（ＷＨ）に環状のハーネスを装着するように構成されているが、本明細書で開示する技術は、このようなユーザーの体への固定方法に限定されるものではない。
【０１０７】
図１４には、脚部アシスト・スーツ１４００の他の構成例を示している。図示の脚部アシスト・スーツ１４００は、腰部ハーネス１４０１と、腰部バックル１４０２と、左右の脚ロッド１４０３Ｌ、１４０３Ｒと、左右の足部１４０４Ｌ、１４０４Ｒからなる。各脚ロッド１４０３Ｌ、１４０３Ｒの中間部付近には、長手方向に伸縮させる直動アクチュエーター（図示しない）がそれぞれ内蔵されている。また、同図では、ユーザーの脚を省略しているが、左右の脚ロッド（ＬＲ）１４０３Ｌ及び１４０３Ｒはともに、ユーザーの両脚の内側に配置されている。したがって、ユーザーが脚部アシスト・スーツ１００を装着した際に、体の幅方向サイズの影響を受けない。
【０１０８】
腰部ハーネス１４０１は、ユーザーの臀部と腰部を環状に覆うように構成されている。このような構成によれば、脚ロッド（ＬＲ）１１０Ｌ又は１１０Ｒの上端から腹前部に作用した力を臀部に面上に作用させることができる。すなわち、サポート力を分散させ、ユーザーの痛みや圧迫感を低減することができる。
【０１０９】
脚ロッド（ＬＲ）１４０３Ｌ及び１４０３Ｒの各上端は、腰部バックル１４０２を介して腰部ハーネス１４０１に取り付けられている。図１５には、腰部バックル１４０２を上方から眺めた様子を模式的に示している。図示のように、腰部バックル１４０２は、脚ロッド（ＬＲ）１４０３Ｌ及び１４０３Ｒの各上端を、股関節ロール軸（ＨＲＪ）と股関節ピッチ軸（ＨＰＪ）の２軸回転自由度を以って接続している。これらの股関節ロール軸ＨＲＪ、股関節ピッチ軸ＨＰＪはいずれも非駆動関節である。脚ロッド（ＬＲ）１４０３Ｌ及び１４０３Ｒはそれぞれ、直動型アクチュエーターが発生する上方への一方向性の力のみを、腰部バックル１４０２及び腰部ハーネス１４０１を介してユーザーの骨盤に伝達することができる。
【０１１０】
なお、腰部バックル１４０２の回転モーメントを低減するために、図１５に示すように、腰部ハーネス１４０１と腰部バックル１４０２の接続点を股関節ピッチ軸ＨＰＪの軸線上近くに配置することが好ましい。
【０１１１】
図１６には、腰部バックル１４０２を腰部ハーネス１４０１に装着する様子を示している。図示のように、１箇所の把持部１４０５の開閉操作のみによって、腰部バックル１４０２とともに脚ロッド１１０Ｌ、１１０Ｒを左右の腰部アタッチメント１４０１を着脱することが可能であり、着脱容易性を高めることができる。把持部１４０５を構成する一対の爪を、同図中、矢印で示す方向に操作することで、腰部バックル１４０２を腰部ハーネス１４０１に固定することができる。詳細な図解は省略するが、腰部バックル１４０２を腰部ハーネス１４０１に装着することで、電気的接続も同時に行なわれる。
【０１１２】
腰部バックル１４０２は、ユーザーの腹前部の中央付近で腰部ハーネス１４０１に取り付けられる。脚ロッド（ＬＲ）１４０３Ｌ、１４０３Ｒの伸縮動作により、腰部バックル１４０２には上方に向かう力が作用し、腰部ハーネス１４０１を介して骨盤に伝えられる。
【０１１３】
図１７には、脚ロッド（ＬＲ）１４０３の下端を足部１４０４に接続する様子を示している。脚ロッド（ＬＲ）１４０３の下端は足首ポール・ジョイント１４０６を構成している。また、足部１４０４は、足首ポール・ジョイント１４０６を収容するソケット１４０７を上方に備えている。ソケット１４０７の上面には、脚ロッド（ＬＲ）１４０３を挿通させるための開口部１４０８が形設されている。同図中、矢印で示すように、足首ポール・ジョイント１４０６をスライドさせてソケット１４０７内でスライドさせることで、脚ロッド（ＬＲ）１４０３を容易に足部１４０４に接続したり、離脱したりすることができる。
【０１１４】
足首ポール・ジョイント１４０６をソケット１４０７内に挿入して、脚ロッド（ＬＲ）１４０３の下端を足部１４０４に取り付けた状態では、足首関節ヨー軸（ＡＹＪ）、足首関節ロール軸（ＡＲＪ）、及び足首関節ピッチ軸（ＡＰＪ）の３軸回転自由度を有しており、この３自由度により各脚の足部の姿勢を自在に決定することができる。これらの足首関節ヨー軸ＡＹＪ、足首関節ロール軸ＡＲＪ、足首関節ピッチ軸ＡＰＪはいずれも非駆動関節である。
【０１１５】
図１６及び図１７から、脚部アシスト・スーツ１４００は、左右の脚ロッド（ＬＲ）１４０３Ｌ、１４０３Ｒを、腰部ハーネス１４０１及び足部１４０４Ｌ、１４０４Ｒから容易に分離できる構造である、ということを十分理解されたい。
【０１１６】
なお、本明細書の開示の技術は、以下のような構成をとることも可能である。
（１）ユーザーの腰部と足部を接続し、直動アクチュエーターを含む脚ロッドと、
前記脚ロッドの一端を前記腰部に接続する腰部接続部と、
前記脚ロッドの他端を前記足部に接続する足部接続部と、
を具備する運動補助装置。
（２）前記ユーザーの可動脚毎に前記脚ロッドを備える、
上記（１）に記載の運動補助装置。
（３）前記直動アクチュエーターは、前記脚ロッドを長手方向に伸縮させるように動作する、
上記（１）に記載の運動補助装置。
（４）前記腰部接続部及び前記足部接続部は、前記脚ロッドを左右両脚の内側に配置するように前記一端及び前記他端でそれぞれ接続する、
上記（１）に記載の運動補助装置。
（５）前記ユーザーが胴体に装着し、前記腰部接続部を有する装具をさらに備える、
上記（１）に記載の運動補助装置。
（６）前記装具は、前記ユーザーの腹前部付近で前記腰部接続部を介して前記脚ロッドの前記一端を接続する、
上記（５）に記載の運動補助装置。
（７）前記腰部接続部は、回転２自由度を以って前記脚ロッドの前記一端を接続する、
上記（１）又は（５）のいずれかに記載の運動補助装置。
（８）前記装具は、前記直動アクチュエーターが発生する上方への一方向性の力を前記ユーザーの骨盤に伝達する、
上記（５）に記載の運動補助装置。
（９）前記脚ロッドは、前記一端にて前記装具から着脱可能である、
上記（５）に記載の運動補助装置。
（１０）前記足部接続部は、回転３自由度を以って前記脚ロッドの前記他端を接続する、
上記（１）に記載の運動補助装置。
（１１）前記装具は、前記ユーザーの脚の大腿部付け根を環状に包囲する大腿部ハーネスと、前記ユーザーの腰部を環状に包囲し前記脚ロッドの前記一端を接続する腰部ハーネスと、前記腰部ハーネスと前記大腿部ハーネスとの間を連結するほぼ直線状の連結ハーネスを有する、
上記（５）に記載の運動補助装置。
（１２）前記連結ハーネスは、前記腰部ハーネスの前部付近に接続される、
上記（１１）に記載の運動補助装置。
（１３）前記直動アクチュエーターが伸展して前記腰部ハーネスが上方に引き上げられたときに、前記連結ハーネスを介して前記大腿部ハーネスが引き上げられることにより、上方に向かう力を前記ユーザーの骨盤に伝達する、
上記（１１）に記載の運動補助装置。
（１４）前記ユーザーの履いている靴とワンタッチ着脱機構を介して接続する足底部をさらに備える、
上記（１）に記載の運動補助装置。
（１５）回転３自由度を有する前記足部接続部を、その回転中心が、前後方向に関して前記ユーザーの足部拇指丘付近、幅方向に関して足底の中心付近に位置するように接続する足底部をさらに備える、
上記（１）に記載の運動補助装置。
（１６）前記腰部接続部は、前記ユーザーの骨盤の幅方向の中央付近で前記脚ロッドの前記一端を接続する、
上記（１）に記載の運動補助装置。
（１７）前記ユーザーの左右の脚毎に前記脚ロッドを備え、
前記左右の前記脚ロッドの前記腰部接続部を一点に集約して配置する、
上記（１６）に記載の運動補助装置。
（１８）前記脚ロッドは、前記ユーザーの体前部に向かって凸となる湾曲部を有する、
上記（１）に記載の運動補助装置。
（１９）前記ユーザーの左右の脚毎に前記脚ロッドを備え、
前記腰部接続部は、前記左右の前記脚ロッドの股関節ロール軸回りの可動域を制限する、
上記（１）に記載の運動補助装置。
（２０）前記直動アクチュエーターの動作を制御する制御部をさらに備える、
上記（１）に記載の運動補助装置。
（２１）前記直動アクチュエーターに加わる外力を検出する力センサーをさらに備え、
前記制御部は、前記力センサーの出力値に基づいて前記直動アクチュエーターを力制御する、
上記（２０）に記載の運動補助装置。
（２２）前記足部の足底の接地状態を検出する接地センサーをさらに備え、
前記制御部は、前記接地センサーの出力値に基づいて前記直動アクチュエーターの動作を制御する、
上記（２０）に記載の運動補助装置。
（２３）前記制御部は、立脚側の前記脚ロッドにおいて前記ユーザーの膝の屈曲量θKPJに応じて体重を支持するような押し付け力ｆstanceを与え、遊脚側の前記脚ロッドにおいて前記ユーザーの股関節の屈曲量θHPJに応じて引き上げ力ｆswingを与えるように、前記直動アクチュエーターを力制御する、
上記（２０）に記載の運動補助装置。
（２４）前記直動アクチュエーターの位置を検出するエンコーダーをさらに備え、
前記制御部は、前記ユーザーの膝の屈曲量θKPJ並びに膝の屈曲量θKPJを前記直動アクチュエーターの位置で近似する、
上記（２３）に記載の運動補助装置。
（２５）前記制御部は、立脚側の前記脚ロッドにおける押し付け力ｆstance、並びに、遊脚側の前記脚ロッドにおける引き上げ力ｆswingに、自重補償の力を考慮して前記直動アクチュエーターを力制御する、
上記（２３）に記載の運動補助装置。
（２６）前記制御部は、立脚側の前記脚ロッドにおいて、遊脚側の前記脚ロッドにおける引き上げ力ｆswingが作用しないようにさらに考慮して、前記直動アクチュエーターを力制御する、
上記（２５）に記載の運動補助装置。
（２７）上記（１）に記載の運動補助装置を装着したユーザーの運動を補助する運動補助方法であって、
前記足部の接地状態を判定する判定ステップと、
遊脚側の前記脚ロッドにおいて前記ユーザーの股関節の屈曲量θHPJに応じて引き上げ力ｆswingを与えるように、前記直動アクチュエーターを力制御する第１の制御ステップと、
立脚側の前記脚ロッドにおいて前記ユーザーの膝の屈曲量θKPJに応じて体重を支持するような押し付け力ｆstanceを与えるように、前記直動アクチュエーターを力制御する第２の制御ステップと、
を有する運動制御方法。
（２８）前記第１及び第２の制御ステップではそれぞれ遊脚側並びに立脚側の装置の自重補償の力を考慮して前記直動アクチュエーターを力制御する、
上記（２７）に記載の運動補助方法。
（２９）前記第２の制御ステップでは、立脚側の前記脚ロッドにおいて、遊脚側の前記脚ロッドにおける引き上げ力ｆswingが作用しないようにさらに考慮して、前記直動アクチュエーターを力制御する、
上記（２８）に記載の運動補助方法。
（３０）上記（１）に記載の運動補助装置を装着したユーザーの運動を補助するためのコンピューター・プログラムであって、コンピューターを、
前記足部の接地状態を判定する判定手段、
遊脚側の前記脚ロッドにおいて前記ユーザーの股関節の屈曲量θHPJに応じて引き上げ力ｆswingを与えるように、前記直動アクチュエーターを力制御する第１の制御手段、
立脚側の前記脚ロッドにおいて前記ユーザーの膝の屈曲量θKPJに応じて体重を支持するような押し付け力ｆstanceを与えるように、前記直動アクチュエーターを力制御する第２の制御手段、
として機能させるようにコンピューター可読形式で記述されたコンピューター・プログラム。
【先行技術文献】
【特許文献】
【０１１７】
【特許文献１】特許第４６４１２２５号公報
【特許文献２】特開２０１１−６２４６３号公報
【特許文献３】特許第４７１５８６３号公報
【特許文献４】特開２０１１−６７２２７号公報
【非特許文献】
【０１１８】
【非特許文献１】Ｋａｗａｍｏｔｏ  Ｈ．，Ｌｅｅ  Ｓ．，Ｋａｎｂｅ  Ｓ．，Ｓａｎｋａｉ  Ｙ．： “Ｐｏｗｅｒ  Ａｓｓｉｓｔ  Ｍｅｔｈｏｄ  ｆｏｒ  ＨＡＬ−３  ｕｓｉｎｇ  ＥＭＧ−ｂａｓｅｄ  Ｆｅｅｄｂａｃｋ  Ｃｏｎｔｒｏｌｌｅｒ”，Ｐｒｏｃ．ｏｆ  Ｉｎｔ’ｌ  Ｃｏｎｆ．  ｏｎＳｙｓｔｅｍｓ，Ｍａｎ  ａｎｄ  Ｃｙｂｅｒｎｅｔｉｃｓ（ＳＭＣ２００３），ｐｐ．１６４８−１６５３，２００３
【非特許文献２】Ｊ．Ｇｈａｎ，Ｒ．Ｓｔｅｇｅｒ，Ｋａｚｅｒｏｏｎｉ，Ｈ，“Ｃｏｎｔｒｏｌ  ａｎｄ  Ｓｙｓｔｅｍ  Ｉｄｅｎｔｉｆｉｃａｔｉｏｎ  ｆｏｒ  ｔｈｅ  Ｂｅｒｋｅｌｅｙ  Ｌｏｗｅｒ  Ｅｘｔｒｅｍｉｔｙ  Ｅｘｏｓｋｅｌｅｔｏｎ”，Ａｄｖａｎｃｅｄ  Ｒｏｂｏｔｉｃｓ，Ｖｏｌｕｍｅ  ２０，Ｎｕｍｂｅｒ  ９，ｐｐ．９８９−１０１４，Ｎｕｍｂｅｒ  ９，２００６
【産業上の利用可能性】
【０１１９】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１２０】
本明細書では、脚部アシスト・スーツに適用した実施形態を中心に説明してきたが、本明細書で開示する技術の要旨はこれに限定されるものではない。脚部以外の人の部位に装着されるさまざまなタイプのアシスト・スーツにも本明細書で開示する技術を適用して、歩行以外の人のさまざまな運動を補助することも可能である。
【０１２１】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１２２】
１００…脚部アシスト・スーツ
１１０Ｌ／Ｒ…脚ロッド（ＬＲ）
１１１Ｌ／Ｒ…接続部（上端）、１１２Ｌ／Ｒ…接続部（下端）
１２０Ｌ／Ｒ…直動アクチュエーター、１３０Ｌ／Ｒ…接触センサー
１４０…ホスト・コンピューター、１４１…バッテリー
２０１…モーター、２０２…ボールねじ
２０２ａ…ねじ軸、２０２ｂ…ナット
２０３…力センサー、２０４…エンコーダー
３００…制御システム
３０１Ｌ／Ｒ…マイコン、３０２Ｌ／Ｒ…マイコン
４００…ハーネス
４０１Ｌ／Ｒ…大腿部ハーネス、４０２…腰部ハーネス
４０３Ｌ／Ｒ…連結ハーネス、４０４…腰部アタッチメント
６０１Ｌ／Ｒ…脚底部、６０２Ｌ／Ｒ…ワンタッチ着脱機構
６０３Ｌ／Ｒ…足部連結ジョイント
１４００…脚部アシスト・スーツ
１４０１…腰部ハーネス、１４０２…腰部バックル
１４０３Ｌ／Ｒ…脚ロッド、１４０４Ｌ／Ｒ…足部
１４０５…把持部、１４０６…足首ポール・ジョイント
１４０７…ソケット、１４０８…開口部
【図２】
2014104185.tif 000005
【図３】
2014104185.tif 000006
【図７Ｂ】
2014104185.tif 000007
【図１３】
2014104185.tif 000008
【図１】
2014104185.tif 000009
【図４】
2014104185.tif 000010
【図５】
2014104185.tif 000011
【図６】
2014104185.tif 000012
【図７Ａ】
2014104185.tif 000013
【図８Ａ】
2014104185.tif 000014
【図８Ｂ】
2014104185.tif 000015
【図９Ａ】
2014104185.tif 000016
【図９Ｂ】
2014104185.tif 000017
【図１０】
2014104185.tif 000018
【図１１】
2014104185.tif 000019
【図１２】
2014104185.tif 000020
【図１４】
2014104185.tif 000021
【図１５】
2014104185.tif 000022
【図１６】
2014104185.tif 000023
【図１７】
2014104185.tif 000024
【図１８】
2014104185.tif 000025
【図１９】
2014104185.tif 000026